(57)【要約】【課題】本発明は、受信したファクシミリ画像を配信する際配信先の任意のプリンタ等から印刷される際に間引き処理が行われたとしても、細い横線が消えたりしないようにすることができ、配信先で滑らかな画像で印刷可能となる、ネットワークファクシミリ装置、ネットワークファクシミリ装置における配信方法及び該方法を実行するためのプログラムを格納したコンピュータ読み取り可能な記録媒体を提供することを目的とする。【解決手段】本発明のネットワークファクシミリ装置は、受信したファクシミリ画像の解像度が所定の解像度以下か否かを判断する解像度判断手段と、解像度判断手段による判断結果ファクシミリ画像の解像度が所定の解像度以下であれば高密度処理を行う高密度処理手段と、高密度処理手段による高密度処理を施されたファクシミリ画像を配信する配信手段とを有する。【選択図】        図１
2004221660.tif 000002
【特許請求の範囲】
【請求項１】
受信したファクシミリ画像を他の通信端末装置にネットワークを介して配信可能なネットワークファクシミリ装置において、
受信した前記ファクシミリ画像の解像度が所定の解像度以下か否かを判断する解像度判断手段と、
該解像度判断手段による判断結果前記ファクシミリ画像の解像度が所定の解像度以下であれば高密度処理を行う高密度処理手段と、
該高密度処理手段による高密度処理を施された前記ファクシミリ画像を配信する配信手段と
を有することを特徴とするネットワークファクシミリ装置。
【請求項２】
前記解像度判断手段は、受信した前記ファクシミリ画像が普通字であるか否かで、受信した前記ファクシミリ画像の解像度が所定の解像度以下か否かを判断する請求項１記載のネットワークファクシミリ装置。
【請求項３】
前記高密度処理手段は、受信した前記ファクシミリ画像の副走査方向に倍密処理を行う請求項１記載のネットワークファクシミリ装置。
【請求項４】
前記高密度処理手段による高密度処理後の前記ファクシミリ画像に対してスムージング処理を施すスムージング処理手段を設けた請求項１又は３に記載のネットワークファクシミリ装置。
【請求項５】
受信した前記ファクシミリ画像が所定のサイズ以上か否かを判断するサイズ判断手段を設け、該サイズ判断手段による判断結果所定のサイズ以上であれば前記高密度処理手段による高密度処理を行う請求項１、３又は４のいずれかに記載のネットワークファクシミリ装置。
【請求項６】
前記サイズ判断手段による判断結果所定のサイズ以上であれば受信した前記ファクシミリ画像のサイズを所定のサイズに変換する変倍処理手段を設けた請求項５記載のネットワークファクシミリ装置。
【請求項７】
受信したファクシミリ画像を他の通信端末装置にネットワークを介して配信するネットワークファクシミリ装置における配信方法おいて、
受信したファクシミリ画像の解像度が所定の解像度以下か否かを判断し、判断結果ファクシミリ画像の解像度が所定の解像度以下であれば高密度処理を行い、高密度処理を施された前記ファクシミリ画像を配信することを特徴とするネットワークファクシミリ装置における配信方法。
【請求項８】
請求項７記載のネットワークファクシミリ装置における配信方法を実行するためのプログラムを格納したコンピュータ読み取り可能な記録媒体。
【発明の詳細な説明】
【０００１】
【発明の属する技術分野】
本発明はネットワークファクシミリ装置、ネットワークファクシミリ装置における配信方法及び該方法を実行するためのプログラムを格納したコンピュータ読み取り可能な記録媒体に関し、詳細にはネットワークに接続可能で、受信したファクシミリ文書をネットワーク上の他のマシンやＰＣに配信することが可能なネットワークファクシミリ装置に関する。
【０００２】
【従来の技術】
【特許文献１】特開２００２−２８１２６２号公報
近年、ネットワークに接続されたファクシミリ装置において、受信した文書を印刷せずにネットワーク上の他のサーバに受信ファイルを配信することが行われるようになっている。これは主にファクシミリ受信物のペーパーレス化を目的としている。ユーザはＰＣで配信先のサーバの受信文書を各種ユーティリティを使い閲覧し、必要な文書だけを他のＭＦＰやプリンタから印刷するというようなことを行っている。このような受信ファイル配信技術としての上記特許文献１には、記載のように、ユーザごとに配信の態様、例えばｅ−ｍａｉｌ、ファクシミリ、印字出力を設定する配信設定手段により各ユーザの配信の態様に応じて画像データを各ユーザに配信する画像配信装置が提案されている。
【０００３】
【発明が解決しようとする課題】
しかしながら、上記特許文献１の処理だけでは、受信したファクシミリ文書が配信先でどのようなプリンタやマシンから印刷されるかわからず、画像によっては間引かれて横線が切れたり、スムージング処理が行われず、ガタガタの画像が出力される可能性も生じてしまう。
【０００４】
本発明はこれらの問題点を解決するためのものであり、受信したファクシミリ画像を配信する際配信先の任意のプリンタ等から印刷される際に間引き処理が行われたとしても、細い横線が消えたりしないようにすることができ、配信先で滑らかな画像で印刷可能となる、ネットワークファクシミリ装置、ネットワークファクシミリ装置における配信方法及び該方法を実行するためのプログラムを格納したコンピュータ読み取り可能な記録媒体を提供することを目的とする。
【０００５】
【課題を解決するための手段】
前記問題点を解決するために、本発明のネットワークファクシミリ装置は、受信したファクシミリ画像の解像度が所定の解像度以下か否かを判断する解像度判断手段と、解像度判断手段による判断結果ファクシミリ画像の解像度が所定の解像度以下であれば高密度処理を行う高密度処理手段と、高密度処理手段による高密度処理を施されたファクシミリ画像を配信する配信手段とを有することに特徴がある。よって、ネットワークファクシミリ装置で受信した文書を任意のサーバに配信して配信先で印刷する際印刷側の処理によっては元の画像から単純に等間隔にラインを間引いてから印刷を行う場合に生じる、細い横線等がちょうど間引かれ消えてしまうことを防ぐことができる。
【０００６】
また、解像度判断手段は、受信したファクシミリ画像が普通字であるか否かで、受信したファクシミリ画像の解像度が所定の解像度以下か否かを判断する。更に、高密度処理手段は、受信したファクシミリ画像の副走査方向に倍密処理を行う。
【０００７】
更に、高密度処理手段による高密度処理後のファクシミリ画像に対してスムージング処理を施すスムージング処理手段を設けたことにより、配信先の印刷機でスムージング機能を持っていなかったとしても、配信先で滑らかな画像で印刷可能となる。
【０００８】
また、受信したファクシミリ画像が所定のサイズ以上か否かを判断するサイズ判断手段を設け、サイズ判断手段による判断結果所定のサイズ以上であれば高密度処理手段による高密度処理を行う。更に、サイズ判断手段による判断結果所定のサイズ以上であれば受信したファクシミリ画像のサイズを所定のサイズに変換する変倍処理手段を設けた。よって、ファクシミリ受信したデータが定型サイズよりも多少大きくて配信先の印刷機で間引きが行われる場合、配信先でスムージング処理後の画像から副走査方向のラインを間引かれてしまって画質が低下することを防ぐことができる。
【０００９】
更に、別の発明としてのネットワークファクシミリ装置における配信方法によれば、受信したファクシミリ画像の解像度が所定の解像度以下か否かを判断し、判断結果ファクシミリ画像の解像度が所定の解像度以下であれば高密度処理を行い、高密度処理を施された前記ファクシミリ画像を配信する。よって、印刷側の処理によっては元の画像から単純に等間隔にラインを間引いてから印刷を行う場合に生じる、細い横線等がちょうど間引かれ消えてしまうことを防ぐことができる。
【００１０】
また、別の発明として上記に記載のネットワークファクシミリ装置における配信方法を実行するためのプログラムを格納したコンピュータ読み取り可能な記録媒体に特徴がある。よって、既存のシステムを変えることなく、配信システムを汎用的に構築することができる。
【００１１】
【発明の実施の形態】
本発明のネットワークファクシミリ装置は、受信したファクシミリ画像の解像度が所定の解像度以下か否かを判断する解像度判断手段と、解像度判断手段による判断結果ファクシミリ画像の解像度が所定の解像度以下であれば高密度処理を行う高密度処理手段と、高密度処理手段による高密度処理を施されたファクシミリ画像を配信する配信手段とを有する。
【００１２】
【実施例】
図１は本発明の一実施例に係るネットワークファクシミリ装置の構成を示すブロック図である。同図において、本実施例のネットワークファクシミリ装置１００は、スキャナ部１０１、プロッタ部１０２、圧縮データ格納メモリ１０３、画データ伸長部１０４、伸長データ展開メモリ１０５、操作表示部１０６、システム制御部１０７、画データ圧縮部１０８、ネットワークコントロール部１０９、モデムＮＣＵ部１１０及び画像処理部１１１を有し、各構成部は内部バス１１２を介して各々接続されている。また、スキャナ部１０１は、原稿を読み取り、画情報を出力する。プロッタ部１０２は、画情報を印刷する。圧縮データ格納メモリ１０３は、圧縮データを格納する。画データ伸長部１０４は、圧縮された画データを伸長する。伸長データ展開メモリ１０５は、伸長した画データを展開する。操作表示部１０６は、操作パネル等により指示や表示を行う。システム制御部１０７は、システム全体を制御する。ネットワークコントロール部１０８は、接続されたネットワーク網への配信を制御する。モデムＮＣＵ部１１０は、公衆回線網に接続されてファクシミリ通信を行うと共に、受信したファクシミリ文書をネットワーク上の他のサーバやマシンに配信する。画像処理部１１１には、倍密度処理手段１１１−１、スムージング処理手段１１１−２及び変倍率計算手段１１１−３を有している。
【００１３】
図２は本実施例のネットワークファクシミリ装置における画像処理動作を示すフローチャートである。同図において、先ずファクシミリ受信文書ファイルを開く（ステップＳ１０１）。そして、図１のシステム制御部１０７によりファクシミリ受信文書ファイル内の対象画像が普通字（２００×１００ｄｐｉ  ｏｒ  ８×３．８５／ｍｍ）か否かを判断する（ステップＳ１０２）。判断した結果普通字である場合は（ステップＳ１０２；ＹＥＳ）、図１の倍密度処理手段１１１−１により当該対象画像に対して倍密度処理を施す（ステップＳ１０３）。一方普通字でない場合は（ステップＳ１０２；ＮＯ）は倍密度処理を行わずステップＳ１０４へ移行する。ここで、倍密度処理は副走査ラインを２倍や４倍、任意の倍率にラインを増やす処理で、ソフトウェアでコピーするかハード的に行うか、２種類の方法が考えられるが、このケースでは単純に２倍するものとする。そして、ステップＳ１０４にて、配信先にデータを転送する。最後に、ファクシミリ受信文書ファイルをクローズする（ステップＳ１０５）。このように、受信したファクシミリ画像の解像度が所定の解像度以下か否か、例えば上述のように普通字であるか否かを判断し、判断結果ファクシミリ画像の解像度が所定の解像度以下であれば上述の例では普通字であれば高密度処理、上述の例での倍密度処理を行うことにより、元の画像の１ラインが２ライン分になるので、印刷時に等間隔ごとに１ライン間引かれたとしても、ラインが消えてしまうことはない。
【００１４】
次に、図３は本実施例のネットワークファクシミリ装置における別の画像処理動作を示すフローチャートである。同図において、先ずファクシミリ受信文書ファイルを開く（ステップＳ２０１）。そして、図１のシステム制御部１０７によりファクシミリ受信文書ファイル内の対象画像が普通字か否かを判断する（ステップＳ２０２）。判断した結果普通字である場合は（ステップＳ２０２；ＹＥＳ）、図１の倍密度処理手段１１１−１により当該対象画像に対して倍密度処理を施した上で（ステップＳ２０３）更に図１のスムージング処理手段１１１−２によりスムージング処理を施す（ステップＳ２０４）。ここで、ファクシミリの２値のスムージング処理は、通常、５×５等のマトリクスを画像データから抽出し、そのマトリクスの白黒データのパターンにマッチングするデータを、予め用意してあるスムージングデータに変換するものである。このような処理を施すことに、画像特に文字のぎざぎざがなくなり滑らかになる。ソフトウェアでも処理は可能であるが、処理時間がかかるため通常はハードウェアで行う。一方普通字でない場合は（ステップＳ２０２；ＮＯ）倍密度処理やスムージング処理を行わずステップＳ２０５へ移行する。そして、ステップＳ２０５にて、配信先にデータを転送する。最後に、ファクシミリ受信文書ファイルをクローズする（ステップＳ２０６）。このように、ファクシミリ受信した画像を他のサーバへ配信する前に予め副走査方向に倍密処理を行い、更にスムージング処理を行い、滑らかになった画像を配信することで、配信先のサーバから任意のマシンやプリンタで印刷する際に、印刷機でスムージング機能を持っていなかったとしても、滑らかな画像で印刷することができる。
【００１５】
次に、図４は本実施例のネットワークファクシミリ装置における別の画像処理動作を示すフローチャートである。同図において、先ずファクシミリ受信文書ファイルを開く（ステップＳ３０１）。そして、図１のシステム制御部１０７によりファクシミリ受信文書ファイル内の対象画像が普通字か否かを判断する（ステップＳ３０２）。判断した結果普通字である場合は（ステップＳ３０２；ＹＥＳ）、更に対象画像が定型サイズより大きいか否かを判断する（ステップＳ３０３）。判断した結果定型サイズより大きい場合は（ステップＳ３０３；ＹＥＳ）、図１の変倍率計算手段１１１−３により受信した文書のライン数と定型サイズの場合のライン数とから変倍する倍率を計算する（ステップＳ３０４）。例えば、受信文書がＡ４普通字の１１８０ライン、定型サイズで１１６９ライン、小さな字相当に変倍するので、倍率＝１１６９×２／１１８０＝１．９８倍となる。そして、このように変倍率を算出した上で（ステップＳ３０４）更に図１の倍密度処理手段１１１−１による倍密度処理や図１のスムージング処理手段１１１−２によるスムージング処理を施す（ステップＳ３０５，Ｓ３０６）。ここでの倍密度処理は副走査ラインを２倍や４倍、任意の倍率にラインを増やす処理で、ソフトウェアでコピーするかハード的に行うか、２種類の方法が考えられるが、このケースでは受信文書が定型サイズの場合は（ステップＳ３０４）、単純に２倍に、定型サイズでない場合はステップＳ３０５で計算した倍率で倍密処理を行う。一方普通字でない場合は（ステップＳ３０２；ＮＯ）、倍密度処理やスムージング処理を行わずステップＳ３０７へ移行する。そして、ステップＳ３０７にて、配信先にデータを転送する。最後に、ファクシミリ受信文書ファイルをクローズする（ステップＳ３０８）。
【００１６】
次に、図５は本発明のシステム構成を示すブロック図である。つまり、同図は上記実施例におけるネットワークファクシミリ装置における配信方法によるソフトウェアを実行するマイクロプロセッサ等から構築されるハードウェアを示すものである。同図において、配信システムはインターフェース（以下Ｉ／Ｆと略す）５１、ＣＰＵ５２、ＲＯＭ５３、ＲＡＭ５４、表示装置５５、ハードディスク５６、キーボード５７及びＣＤ−ＲＯＭドライブ５８を含んで構成されている。また、汎用の処理装置を用意し、ＣＤ−ＲＯＭ５９などの読取可能な記録媒体には、本発明のネットワークファクシミリ装置における配信方法を実行するプログラムが記憶されている。更に、Ｉ／Ｆ５１を介して外部装置から制御信号が入力され、キーボード５７によって操作者による指令又は自動的に本発明のプログラムが起動される。そして、ＣＰＵ５２は当該プログラムに従って上述の配信方法に伴う配信処理を施し、その処理結果をＲＡＭ５４やハードディスク５６等の記憶装置に格納し、必要により表示装置５５などに出力する。以上のように、本発明のネットワークファクシミリ装置における配信方法を実行するプログラムが記憶した媒体を用いることにより、既存のシステムを変えることなく、配信システムを汎用的に構築することができる。
【００１７】
なお、本発明は上記実施例に限定されるものではなく、特許請求の範囲内の記載であれば多種の変形や置換可能であることは言うまでもない。
【００１８】
【発明の効果】
以上説明したように、本発明のネットワークファクシミリ装置は、受信したファクシミリ画像の解像度が所定の解像度以下か否かを判断する解像度判断手段と、解像度判断手段による判断結果ファクシミリ画像の解像度が所定の解像度以下であれば高密度処理を行う高密度処理手段と、高密度処理手段による高密度処理を施されたファクシミリ画像を配信する配信手段とを有することに特徴がある。よって、ネットワークファクシミリ装置で受信した文書を任意のサーバに配信して配信先で印刷する際印刷側の処理によっては元の画像から単純に等間隔にラインを間引いてから印刷を行う場合に生じる、細い横線等がちょうど間引かれ消えてしまうことを防ぐことができる。
【００１９】
また、解像度判断手段は、受信したファクシミリ画像が普通字であるか否かで、受信したファクシミリ画像の解像度が所定の解像度以下か否かを判断する。更に、高密度処理手段は、受信したファクシミリ画像の副走査方向に倍密処理を行う。
【００２０】
更に、高密度処理手段による高密度処理後のファクシミリ画像に対してスムージング処理を施すスムージング処理手段を設けたことにより、配信先の印刷機でスムージング機能を持っていなかったとしても、配信先で滑らかな画像で印刷可能となる。
【００２１】
また、受信したファクシミリ画像が所定のサイズ以上か否かを判断するサイズ判断手段を設け、サイズ判断手段による判断結果所定のサイズ以上であれば高密度処理手段による高密度処理を行う。更に、サイズ判断手段による判断結果所定のサイズ以上であれば受信したファクシミリ画像のサイズを所定のサイズに変換する変倍処理手段を設けた。よって、ファクシミリ受信したデータが定型サイズよりも多少大きくて配信先の印刷機で間引きが行われる場合、配信先でスムージング処理後の画像から副走査方向のラインを間引かれてしまって画質が低下することを防ぐことができる。
【００２２】
更に、別の発明としてのネットワークファクシミリ装置における配信方法によれば、受信したファクシミリ画像の解像度が所定の解像度以下か否かを判断し、判断結果ファクシミリ画像の解像度が所定の解像度以下であれば高密度処理を行い、高密度処理を施された前記ファクシミリ画像を配信する。よって、印刷側の処理によっては元の画像から単純に等間隔にラインを間引いてから印刷を行う場合に生じる、細い横線等がちょうど間引かれ消えてしまうことを防ぐことができる。
【００２３】
また、別の発明として上記に記載のネットワークファクシミリ装置における配信方法を実行するためのプログラムを格納したコンピュータ読み取り可能な記録媒体に特徴がある。よって、既存のシステムを変えることなく、配信システムを汎用的に構築することができる。
【図面の簡単な説明】
【図１】本発明の一実施例に係るネットワークファクシミリ装置の構成を示すブロック図である。
【図２】本実施例のネットワークファクシミリ装置における画像処理動作を示すフローチャートである。
【図３】本実施例のネットワークファクシミリ装置における別の画像処理動作を示すフローチャートである。
【図４】本実施例のネットワークファクシミリ装置における別の画像処理動作を示すフローチャートである。
【図５】本発明のシステム構成を示すブロック図である。
【符号の説明】
１００；ネットワークファクシミリ装置、１０１；スキャナ部、
１０２；プロッタ部、１０３；圧縮データ格納メモリ、
１０４；画データ伸長部、１０５；伸長データ展開メモリ、
１０６；操作表示部、１０７；システム制御部、
１０８；画データ圧縮部、１０９；ネットワークコントロール部、
１１０；モデムＮＣＵ部、１１１；画像処理部、
１１１−１；倍密度処理手段、１１１−２；スムージング処理手段、
１１１−３；変倍率計算手段、１１２；内部バス。
【図１】
2004221660.tif 000003
【図２】
2004221660.tif 000004
【図３】
2004221660.tif 000005
【図４】
2004221660.tif 000006
【図５】
2004221660.tif 000007